(57)【要約】  ２つのスリーブから形成される一対のスリーブを有するスプリング要素が開示される。一対のスリーブの各スリーブは、輪状体で形成される。対向して配置された２つのスリーブは、それらの周囲の一箇所で連結片により互いに連結される。各スリーブ上に、反対側のスリーブに向けられる突起部が連結片から離間されて提供される。このように、連結片および突起部により規定される受入空間がスリーブ間に形成される。スプリングは、中心棒体およびそのようなスプリング要素を備える。中心棒体の一部分がスプリング要素の受入空間に保持されかつ破損せずにスプリング要素の受入空間から取り外し可能であるように、スプリング要素は中心棒体上を摺動する。このスプリングは、それ自体の中で移動可能な材料、特にフォームまたはラテックスで作られかつ縦軸または横軸に横切って構成される中空空間を有するマットレス本体を備える横臥および／または着座手段のためのマットレスに対して提供される。スプリングは少なくとも１つの中空空間に提供される。【選択図】図２
2019535459.tif 000002
【特許請求の範囲】
【請求項１】
２つのスリーブから形成されるスリーブ対を備え、
前記スリーブ対の前記２つのスリーブのそれぞれが輪状体で形成され、
対向して配置される前記２つのスリーブがそれらの周囲の一箇所で連結片により互いに連結されるスプリング要素であって、
各スリーブ上に前記各スリーブから反対側のスリーブに向けられる１つの突起部が前記連結片から離間されて設けられ、前記連結片及び前記２つのスリーブに設けられた２つの前記突起部により規定される受入空間が前記２つのスリーブ間に形成されるスプリング要素。
【請求項２】
前記２つのスリーブは、前記連結片の領域において平坦な楕円形の断面を有し、
前記突起部は楔形であり、前記受入空間に矩形の断面を与える請求項１に記載のスプリング要素。
【請求項３】
中心棒体と、
請求項１又は２に記載のスプリング要素と、を備え、
前記中心棒体の一部分が前記スプリング要素の前記受入空間に受け入れられ且つ破損せずに前記スプリング要素の前記受入空間から取り外すことにより、前記スプリング要素が前記中心棒体上を摺動するスプリング。
【請求項４】
前記受入空間は、前記受入空間とは反対側を向く前記スプリング要素の一部分において前記２つのスリーブを圧縮することにより突起部の領域において拡張され、これにより前記スプリング要素が前記中心棒体上を摺動するか又は前記中心棒体から取り外される請求項３に記載のスプリング。
【請求項５】
前記中心棒体は矩形の断面を有する請求項３又は４に記載のスプリング。
【請求項６】
前記中心棒体は長軸に沿って構成され且つ等間隔で配置される複数の段状突起部を備え、前記段状突起部は対で形成され、
前記複数の段状突起部の間の距離は、前記スリーブの幅に対応する請求項３乃至５のいずれか１項に記載のスプリング。
【請求項７】
前記複数の段状突起部の間の前記距離は、前記段状突起部の隣接する対との間の距離であり、対の間隔は、対で形成された前記段状突起部における間隔である請求項６に記載のスプリング。
【請求項８】
１つの段状突起部又は段状突起部の対が、前記中心棒体の各端部に設けられて、段のない端面が前記中心棒体の両側に形成される請求項５乃至７のいずれか１項に記載のスプリング。
【請求項９】
前記中心棒体は、端部の一方で連結部材により第２の中心棒体に連結される請求項８記載のスプリング。
【請求項１０】
前記連結部材は、前記中心棒体および前記第２の中心棒体を連結し且つ取り外しするために一方の端部で圧縮されることにより反対側の端部で拡張される２つの顎状部材を含む請求項９記載のスプリング。
【請求項１１】
前記連結部材は、スリットを有する２つの対向する壁を含み、前記壁の間で、連結状態において段状突起部が２つの前記中心棒体の前記段のない端面で受け入れられ、前記中心棒体の一方は前記スリットの一方にそれぞれ受け入れられる請求項９又は１０に記載のスプリング。
【請求項１２】
前記２つの対向する壁の厚さは、前記中心棒体の端部における前記段状突起部の対の個々の段の間の前記対の間隔に対応し、前記連結状態において、前記連結部材の前記２つの対向する壁は、前記段状突起部の対の前記個々の段の間に配置される請求項１１に記載のスプリング。
【請求項１３】
少なくとも１つの突起部が、前記中心棒体の前記断面の形状で前記スリットを制限するために前記スリットの開口端に設けられる請求項１１又は１２に記載のスプリング。
【請求項１４】
いくつかの対のスリーブが提供され、前記対のスリーブが前記中心棒体上を摺動し、前記中心棒体が前記対のスリーブの前記受入空間に受け入れられ、前記対のスリーブが前記中心棒体に沿って互いに平行に構成される請求項３乃至１３のいずれか１項に記載のスプリング。
【請求項１５】
横臥及び／又は着座手段のためのマットレスであって、
それ自体の中で移動可能な材料であって、フォーム又はラテックスで作られ且つ縦軸又は横軸に横切って構成される中空空間を有するマットレス本体を備え、
請求項３乃至１４のいずれか１項に記載のスプリングが少なくとも１つの中空空間に設けられるマットレス。
【請求項１６】
横臥及び／又は着座手段のためのマットレスを生産する方法であり、
マットレスがそれ自体の中で移動可能な材料であって、フォーム又はラテックスで作られ且つ縦軸又は横軸に横切って構成される中空空間を有するマットレス本体を備える方法であって、
スプリング要素を中心棒体上で摺動させることによりスプリングを生産するステップと、
断面形状が前記スプリングの輪郭に対応する筒部を中空空間に取り付けるステップと、
圧力を加えるか又は引張部材が前記中空空間を通り且つ前記中心棒体に連結されることにより前記スプリングを前記中空空間に挿入するステップであって、連結部材が、前記中心棒体を前記引張部材に連結するために提供され、前記連結部材が、互いに連結され且つ前記中心棒体を受け入れ且つ取り外すために一方の端部で圧縮されることにより反対側の端部で拡張される２つの顎状部材を有するステップと、
を含む方法。
【発明の詳細な説明】
【技術分野】
【０００１】
本発明は、一般に、請求項１の前文に係るスプリング要素、そのようなスプリング要素を有するスプリング、およびそのようなスプリングを有する横臥および着座手段のためのマットレス、ならびにマットレスを生産するための方法に関する。
【背景技術】
【０００２】
特許文献１は、フォームまたはラテックスで作られたマットレスを開示している。棒状スプリングが挿入される中空空間がマットレス本体に提供される。スプリングは、プラスチック材料から形成され、中心棒体およびそれに形成されたスプリング要素から構成される。実質的には、スプリング要素は平坦な楕円形である。
【０００３】
長さがマットレスの幅にほぼ対応するスプリングのサイズは比較的大きいため、材料として使用されるプラスチックには高価な金型が必要とされる。より硬いまたは柔らかいサスペンションに関する個々のユーザの要求に合わせてスプリングを調整することは、比較的硬いまたは柔らかいスプリングを生産できる適切に適応された金型を使用してのみ可能である。１つの個別のスプリング要素が壊れた場合、これは、スプリング全体を交換することによってのみ置換できる。
【０００４】
したがって、特にユーザに高い融通性を与える横臥および着座手段のマットレスのためのスプリング要素およびスプリングに対する要求があり、特にマットレスの柔らかさまたは硬さを調整する可能性に関する要求がある。
【先行技術文献】
【特許文献】
【０００５】
【特許文献１】欧州特許第２，１１６，１５２号
【発明の概要】
【課題を解決するための手段】
【０００６】
本発明に係るスプリング要素は、２つのスリーブから形成される一対のスリーブを備える。一対のスリーブの各スリーブは、輪状体で形成される。対向して配置される２つのスリーブは、それらの周囲の一箇所で連結片により互いに連結される。反対側のスリーブに向けられる突起部が連結片から離間されて各スリーブに提供される。このように、連結片および突起部により規定される受入空間がスリーブ間に形成される。
【０００７】
個々のスプリング要素を提供することにより、特許文献１に係る上述したスプリングに使用される金型より非常に小さい金型の使用が可能になる。硬さを自由に調整可能なスプリングは、スプリング要素を中心棒体上で摺動させることにより作成され、中心棒体は受入空間に受け入れられる。硬さは隣接するスプリング要素の距離を変更することにより適応させられてもよい。
【０００８】
そのようなスプリング要素において、各スリーブは、連結片の領域で平坦化されるほぼ楕円形の断面を有するのが有利だろう。さらに、各突起部は楔形であり得る。このように、受入空間はほぼ矩形の断面を有する。
【０００９】
ほぼ楕円形の断面は、強度および弾力性に関して有利であることが証明されている。突起部の楔形の形成により、スプリング要素の中心棒体上での摺動中に２つの突起部を離間させることにより受入空間を均一に開放できる。これにより、スプリング要素の破損または破壊さえも招く可能性がある受入空間を広く開放しすぎることを排除する。それぞれが反対側のスリーブに向けられている２つの突起部間には距離がある。このように、スプリング要素は中心棒体上を摺動可能である。
【００１０】
本発明によると、上述したように、スプリングは中心棒体およびスプリング要素を有する。中心棒体の一部分がスプリング要素の受入空間に保持されかつ破損せずにスプリング要素の受入空間から取り外し可能であるように、スプリング要素は中心棒体上を摺動する。
【００１１】
中心棒体が中心棒体またはスプリング要素を破損することなく受入空間から再度取り外し可能であるため、スプリング要素は中心棒体に自由に装着される。このように、スプリングが設置されるマットレスの柔らかさまたは硬さが有利に調整される。さらに、マットレスの配送後も、マットレスの柔らかさまたは硬さはユーザ（顧客）自身により調整可能である。そのために、ユーザはマットレスからスプリングを除去し、中心棒体に対して１つ以上のスプリング要素を除去するか、追加するかまたは再度差し込むことだけが必要である。
【００１２】
実用的な理由のために、スプリング要素は、通常、中心棒体上を摺動するか、あるいは中心棒体が適切な締付装置に固定されつつ除去されることがさらに指摘される。すなわち、通常、中心棒体は複数のスプリング要素を提供される。しかし、基本的には、固定されたスプリング要素の受入空間への中心棒体の挿入または受入空間からの中心棒体の除去が可能である。
【００１３】
２つのスリーブが受入空間とは反対側を向くスプリング要素の一部分において圧縮されることより、受入空間が突起部の領域で拡張されるのが有利である。これにより、スプリング要素は、中心棒体上を摺動できるか、あるいは中心棒体から取り外される。
【００１４】
したがって、中心棒体に対するスプリング要素の摺動／除去、あるいはスプリング要素の受入空間に対する中心棒体の挿入／除去は、スプリング要素または中心棒体の材料が過度に使用されることによる材料破壊を招く可能性がある破損を引き起こす危険を冒すことなく材料に優しい方法で行われる。
【発明の効果】
【００１５】
中心棒体は矩形の断面を有することができるのが有利である。
【００１６】
矩形の断面形状のために、受入空間への中心棒体の挿入のために一定の身体的努力が要求され、これによりスプリングの生産は容易になる。
【００１７】
さらに、中心棒体は、長軸に沿って構成されかつ等間隔で配置される段状突起部を備えることができる。前記段状突起部は好ましくは対で形成される。特に有利な方法において、段状突起部間の距離は、スリーブを形成するバンドの幅に対応しうる。
【００１８】
段状突起部は、中心棒体に沿う（中心棒体の中心軸に沿う）スプリング要素の横方向の変位がないように、中心棒体上を摺動するスプリング要素と接触させられる。したがって、本実施形態は、マットレスの調整した柔らかさまたは硬さに影響を及ぼす可能性があるスプリングのマットレスへの設置中または使用中の１つ以上のスプリング要素の変位を防止する。
【００１９】
段状突起部が対で形成されるのが有利である。さらに、段状突起部の隣接する対の間には、スリーブを形成するバンドの幅に対応する距離がある。また、個々の段状突起部間には対の間隔（＝各対の段状突起部間の距離）がある。
【００２０】
本実施形態により、スプリング要素の変位のリスクなしで、形状締結によりスプリング要素を明確に位置付けることが可能になる。対の間隔のために、対の間隔および２つの段の幅の形式で隣接するスプリング要素間で最小距離が常に保証される。これは、例えばユーザがマットレスに横になるかまたは座ることによりスプリングが湾曲する場合に隣接するスプリング要素が互いに衝突するかまたは擦れることによる破損を引き起こさないことを保証するものである。
【００２１】
段状突起部または一対の段状突起部は、段のない端面が中心棒体の両側に形成されるように中心棒体の各端部に提供されるのが有利である。
【００２２】
さらに中心棒体は、端部の一方で連結部材により第２の中心棒体に連結可能であるのが有利である。
【００２３】
したがって、必要に応じて、特定の長さで中心棒体を製造し、２つの中心棒体を連結することが可能である。このように、あらゆる長さのスプリングを生産できる。
【００２４】
連結部材は、中心棒体を受け入れかつ除去するために一方の端部で圧縮されることにより反対側の端部で拡張される２つの顎状部材を備えることができるのが有利である。
【００２５】
受入空間の場合と同様に、本実施形態により、材料に優しい方法で、連結部材を連結される中心棒体に装着できる。
【００２６】
連結部材は、スリットを設けられた２つの対向する壁を備えることができ、その間で、連結状態において段状突起部が２つの中心棒体の段のない端面で受け入れられる。本実施形態において、中心棒体の一方はスリットの一方にそれぞれ受け入れられる。
【００２７】
同様の有利な方法において、対向する壁の厚さは、中心棒体の端部における一対の段状突起部の個々の段の間の対の間隔に対応しうる。連結状態において、連結部材の各壁は、一対の段状突起部の個々の段の間に配置される。
【００２８】
本実施形態において、中心棒体は、形状締結により連結部材の壁のスリットに受け入れられる。すなわち、連結部材の各壁は、それぞれの側で一対の段状突起部の１つの段状突起部上に当接し、スリットに配置された中心棒体は、それぞれの側で連結部材の壁に当接する。したがって、連結を確立するために互いに正確に当接するのに丁度であるように中心棒体の端部の形状または長さを調整することは要求されない。よって、正確な寸法精度が要求されることなく、生産工程内で単純に中心棒体をサイズに従って切断できる。
【００２９】
中心棒体の断面の形状にスリットを限定するために各スリットの開口端に少なくとも１つの突起部が提供されるのが有利である。
【００３０】
このように、連結部材が意図せずに除去されるのを防止する。
【００３１】
本発明に従って、いくつかの対のスリーブがスプリングに提供される。前記対は、対のスリーブが中心棒体に沿って互いに平行に構成されるように、中心棒体が対のスリーブの受入空間に受け入れられるように中心棒体上を摺動する。
【００３２】
しかし、２つの隣接する段状突起部間の各隙間（以下、隙間）がスプリング要素を備えることは要求されず、これにより、最大の硬さのスプリングが得られるだろう。有利な方法において、スプリング要素は、例えば隙間１つおき、２つおき等に構成可能であり、より柔らかいマットレスの生産が可能になる。しかし、例えばスプリング要素が中心棒体の最初の３つ〜５つの直接隣接する隙間に提供されるのに対し、中心領域では隙間１つおき、２つおき等にスプリング要素が提供されるようにマットレスの周辺領域にスプリングを形成するのが特に有利である。したがって、本発明に係るスプリングは、隣接するスプリング要素間の距離を変更させることによりマットレスの柔らかさまたは硬さを調整することを可能にする。
【００３３】
横臥および／または着座手段のための本発明に係るマットレスは、それ自体の中で移動可能な材料、特にフォームまたはラテックスで作られかつ縦軸または横軸に横切って構成される中空空間を有するマットレス本体を備える。このマットレスにおいて、上述したようなスプリングは少なくとも１つの中空空間に提供される。
【００３４】
そのようなマットレスは、自動車の座席、トラックの座席、鉄道車両の座席、航空機の座席等の車両の座席の座面または背もたれとして、特にベッド、寝台、ソファ、ソファベッドに適している。この列挙したものは、例示であり確定的ではないと理解されるべきである。すなわち、スプリング要素の個々の設計のために、あらゆるサイズおよび強度のスプリングがほとんどの異なる種類のマットレスに対して、また種々の座席の座面または背もたれの形態で容易に生産できる。
【００３５】
それ自体の中で移動可能な材料、特にフォームまたはラテックスで作られかつ縦軸または横軸に横切って構成される中空空間を有するマットレス本体を備える横臥および／または着座手段のためのマットレスを生産する本発明に係る方法は、スプリング要素を中心棒体上で摺動させることによりスプリングを生産することと、断面形状がスプリングの輪郭に対応する筒部を中空空間に装着することと、圧力を加えるかまたは引張部材が中空空間を通りかつ中心棒体に連結されることによりスプリングを中空空間に挿入することとを備え、連結部材は中心棒体を引張部材に連結するために提供され、連結部材は互いに連結されかつ中心棒体を受け入れかつ除去するために一方の端部で圧縮されることにより反対側の端部で拡張される２つの顎状部材を有する。
【００３６】
上述した要素（特にスプリング要素、中心棒体、連結部材）はプラスチックで作られるのが好ましいが、基本的には金属（ばね鋼）または木材（合板）等の他の材料が本発明に係るスプリングまたはその個々の要素を生産するために使用可能である。
【００３７】
本発明の好適な実施形態について、添付の図面に基づいて説明する。
【図面の簡単な説明】
【００３８】
【図１】本発明に係るスプリング要素の斜視図である。
【図２】中心棒体に固定されたスプリング要素を有する本発明に係るスプリングを示す図である。
【図３】連結部材による２つの中心棒体の連結を示す図である。
【図４】本発明に係る連結部材の詳細図である。
【図５】一例に係る発明のスプリングの図である。
【図６】第２の例に係る発明のスプリングの図である。
【図７】第３の例に係る発明のスプリングの図である。
【図８】本発明に係るスプリングの正面図である。
【図９】発明のスプリングのマットレスへの挿入のための筒部の図である。
【発明を実施するための形態】
【００３９】
図１は、本実施形態に係るスプリング要素１の一例を示す。スプリング要素は、一対のスリーブ５および７から構成され、各スリーブは、一方の側が平坦な楕円形の環状プラスチックバンドで形成される。スリーブ５および７の平坦な側は互いに向かい合い、連結バー（本発明に係る連結片）９により一箇所で互いに連結される。さらに各スリーブ５または７において、それぞれ他方のスリーブ７または５に向いている楔形突起部１１ａまたは１１ｂが平坦な領域に提供される。前記楔形突起部１１ａおよび１１ｂは、連結バー９および間に配置されたスリーブ５および７の平坦な領域と共に受入空間１３を規定する。
【００４０】
図２の例から分かるように、受入空間１３は、中心棒体２１を受け入れるのに使用される。このために、中心棒体２１が楔形突起部１１ａおよび１１ｂの間の領域に差し込まれるように、スプリング要素１は中心棒体２１上を摺動する。傾斜した楔面のために、突起部１１ａおよび１１ｂは、中心棒体２１が形状締結により受入空間１３に受け入れ可能であるように離間される。
【００４１】
受入空間１３とは反対側を向く箇所で２つのスリーブ５および７を共に押圧することにより、２つの突起部１１ａおよび１１ｂは、中心棒体２１を再度受入空間１３から取り外し可能である程度まで互いに離される。好ましくは、これはスプリング要素１を中心棒体から取り外すことにより行われる。
【００４２】
これらの上述した手順は、材料に優しい方法で行われる。すなわち、破壊を招く可能性がある材料の弱体化がない。
【００４３】
図２または図３から分かるように、中心棒体２１は、中心棒体２１の両側に対で構成される段状突起部２３を含む。段状突起部およびスプリング要素１の中心棒体２１の寸法は図８から収集されてもよい。すなわち、２つの隣接する段状突起部の対の間の距離は「ｄ」であり、これはスプリング要素の幅「ｂ」に対応する。一対の段状突起部２３の個々の段の間の距離は「ｃ」であり、１つの段の厚さは「ｔ」である。それぞれの端部において、中心棒体は一対の隣接する段状突起部２５を含み、その寸法および距離は段状突起部２３の寸法および距離に対応する。最も外側の段状突起部２５は、平面状端面２７が作成されるように中心棒体２１のエッジ上にある。
【００４４】
これらの距離比のために、１つのスプリング要素１を２つの隣接する段状突起部２３の対の間の隙間にそれぞれ挿入でき、最大の硬さを有するスプリングを生産できる。また、スプリングが挿入されるマットレスの周辺領域においてスプリングの端部でのみ直接隣接するスプリング要素を構成できるのに対し、スプリングの中心領域では２つの隣接する段状突起部２３の対の間の隙間１つおきにスプリング要素１が提供される。図６は、そのようなスプリングの一例を示す。単純化のために、１つ１つのスプリング要素１に図中符号を提供しないことを指摘する。同様に、段状突起部２３も常に図中符号が提供されるわけではない。
【００４５】
上記で示したように、中心棒体２１上のスプリング要素１の構成はあらゆる構成が可能である。例えば上述した図６に示した構成の代わりに、図７に示すような構成が可能である。図７によると、スプリング要素１の間の距離は、スプリングの端部から内側に向かって３つの区間で次第に大きくなる。すなわち、スプリングの端部において、スプリング要素１は直接隣接するように構成される。端部領域に隣接する第１の中心領域において、２つの隣接する段状突起部２３の対の間に隙間があるが、第１の中心領域に隣接する第２の中心領域においては２つの隣接する段状突起部２３の対の間に３つの隙間が残されている。このために、前記スプリングを提供されたマットレスは、エッジ（周辺部）で達成可能な最大の硬さを有し、エッジに隣接する領域では僅かに柔らかくなり、中心ではさらに柔らかくなる。
【００４６】
中心棒体２１は、基本的にはあらゆる長さで生産可能である。しかし、生産技術に関して、中心棒体を標準的な長さで生産しかつそれらを調整して特別なサイズを生産するのが有利であることを証明している。
【００４７】
寝台またはトレーラ、移動住宅等のためのマットレスの場合のようにマットレスが先細り輪郭を有するためにより短い中心棒体２１が要求される場合、単純に切断したり、挟んで切断したりするなどにより中心棒体２１を短くできる。
【００４８】
しかし、中心棒体２１を長くすることもできる。本発明によると、これは、図４に示される連結ブラケット（本発明に係る連結部材に対応する）を使用して行われる。連結ブラケット９は２つの顎部３３および３７を含み、これらは連結壁３５により連結される。連結壁３５から開始し、スリット４１および４３を設けられた２つの壁３１および３９は一端に向かって構成される。これらの壁は連結壁とは反対側を向く端部に楔形突起部４５ａ、４７ａ、４５ｂおよび４７ｂを有する。したがって、壁３１および３９は、スリット４１および４３ならびに突起部４５ａ、４７ａ、４５ｂおよび４７ｂにより中心棒体２１を受け入れる空間を規定する。さらに壁３１および３９の肉厚は個々の段状突起部２５の間の距離「ｔ」に対応し、２つの中心棒体２１の各々は形状締結により動かないように固定される。２つの壁３１および３９の間の距離（Ｗ）は、隙間の幅「ｄ」および２×個々の段状突起部の厚さ「ｔ」（壁の距離＝２×ｔ）の合計に対応する。図３は、連結ブラケット２９が中心棒体２１に既に装着されている一方で第２の中心棒体２１がまだ装着されていない状態を表す。
【００４９】
したがって、経済的な方法であらゆる長さの連結ウェブを作成できる。図５、図７および図８は、適切に延長された中心棒体２１を有するスプリングの例を示す。
【００５０】
本発明に係るスプリングの大きな利点は、ユーザ自身が配送後でもマットレスの硬さを調整する可能性である。このために、ユーザは、マットレスカバーを除去し、スプリングをマットレスから引っ張り、追加のスプリング要素１を取り付けるかまたは既存のスプリング要素１を除去し、マットレスの中空空間にスプリングを再挿入することだけが必要である。
【００５１】
このためには、図９から分かるような筒部５１が提供される。筒部は、スライド形態の挿入片５３と、２つの壁５５および５７と、蓋片５９とを含む。前記要素は、実質的にスプリングの輪郭線に対応する開口部を形成する。僅かな圧力により、スプリングは蓋片５９および挿入片５１の近接部分をマットレスの中空空間に挿入することでマットレスに容易に戻される。マットレスへのスプリングの挿入を困難にするマットレス材料（フォームまたはラテックス）のずれまたは皺は発生しない。スプリングがマットレスに挿入されるとすぐに、筒部５１は、蓋片に提供された取手口６１に単純に手を伸ばすことでマットレスから簡単に除去できる。
【００５２】
したがって、ユーザは、例えば顕著な体重の増減があった時に新しいマットレスを購入する必要なく既存のマットレスの硬さを自由に調整してもよい。同様に、頭部区間、肩区間、骨盤区間等のマットレスの異なる区間が異なるレベルの硬さに調整可能である。
【００５３】
スプリングをマットレスに押圧するのではなく、中心棒体２１に連結される引張部材によりスプリングをマットレスから引っ張ることができる。上述した筒部５１は、このスプリングを装着する方法を非常に容易にできる。
【００５４】
好適な実施形態および種々の例に基づいて本発明を説明した。しかし、保護範囲は、実施形態の説明または図面の表現により限定されず、添付の特許請求の範囲によってのみ規定される。
【符号の説明】
【００５５】
１    スプリング要素
５    スリーブ
７    スリーブ
９    連結バー（連結片）
１１ａ、１１ｂ    突起部（楔形）
１３    受入空間
２１    中心棒体
２３    段状突起部
２５    中心棒体２１の端部における段状突起部
２７    端面
２９    連結ブラケット（連結部材）
３１    壁
３５    連結壁
３３    顎状部材
３７    顎状部材
３９    壁
４１    スリット
４３    スリット
４５ａ    突起部
４５ｂ    突起部
４７ａ    突起部
４７ｂ    突起部
５１    筒部
【図１】
2019535459.tif 000003
【図２】
2019535459.tif 000004
【図３】
2019535459.tif 000005
【図４】
2019535459.tif 000006
【図５】
2019535459.tif 000007
【図６】
2019535459.tif 000008
【図７】
2019535459.tif 000009
【図８】
2019535459.tif 000010
【図９】
2019535459.tif 000011
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
２つのスリーブから形成されるスリーブ対を備え、
前記スリーブ対の前記２つのスリーブのそれぞれが輪状体で形成され、
対向して配置される前記２つのスリーブがそれらの周囲の一箇所で連結片により互いに連結されるスプリング要素であって、
各スリーブ上に前記各スリーブから反対側のスリーブに向けられる１つの突起部が前記連結片から離間されて設けられ、前記連結片及び前記２つのスリーブに設けられた２つの前記突起部により規定される受入空間が前記２つのスリーブ間に形成され、
前記２つのスリーブは、前記連結片の領域において平坦な楕円形の断面を有し、
前記突起部は楔形であり、前記受入空間に矩形の断面を与えるスプリング要素。
【請求項２】
中心棒体と、
請求項１に記載のスプリング要素と、を備え、
前記中心棒体の一部分が前記スプリング要素の前記受入空間に受け入れられ且つ破損せずに前記スプリング要素の前記受入空間から取り外すことにより、前記スプリング要素が前記中心棒体上を摺動するスプリング。
【請求項３】
前記受入空間は、前記受入空間とは反対側を向く前記スプリング要素の一部分において前記２つのスリーブを圧縮することにより突起部の領域において拡張され、これにより前記スプリング要素が前記中心棒体上を摺動するか又は前記中心棒体から取り外される請求項２に記載のスプリング。
【請求項４】
前記中心棒体は矩形の断面を有する請求項２又は３に記載のスプリング。
【請求項５】
前記中心棒体は長軸に沿って構成され且つ等間隔で配置される複数の段状突起部を備え、前記段状突起部は対で形成され、
前記複数の段状突起部の間の距離は、前記スリーブの幅に対応する請求項２乃至４のいずれか１項に記載のスプリング。
【請求項６】
前記複数の段状突起部の間の前記距離は、前記段状突起部の隣接する対との間の距離であり、対の間隔は、対で形成された前記段状突起部における間隔である請求項５に記載のスプリング。
【請求項７】
１つの段状突起部又は段状突起部の対が、前記中心棒体の各端部に設けられて、段のない端面が前記中心棒体の両側に形成される請求項４乃至６のいずれか１項に記載のスプリング。
【請求項８】
前記中心棒体は、端部の一方で連結部材により第２の中心棒体に連結される請求項７記載のスプリング。
【請求項９】
前記連結部材は、前記中心棒体および前記第２の中心棒体を連結し且つ取り外しするために一方の端部で圧縮されることにより反対側の端部で拡張される２つの顎状部材を含む請求項８記載のスプリング。
【請求項１０】
前記連結部材は、スリットを有する２つの対向する壁を含み、前記壁の間で、連結状態において段状突起部が２つの前記中心棒体の前記段のない端面で受け入れられ、前記中心棒体の一方は前記スリットの一方にそれぞれ受け入れられる請求項８又は９に記載のスプリング。
【請求項１１】
前記２つの対向する壁の厚さは、前記中心棒体の端部における前記段状突起部の対の個々の段の間の前記対の間隔に対応し、前記連結状態において、前記連結部材の前記２つの対向する壁は、前記段状突起部の対の前記個々の段の間に配置される請求項１０に記載のスプリング。
【請求項１２】
少なくとも１つの突起部が、前記中心棒体の前記断面の形状で前記スリットを制限するために前記スリットの開口端に設けられる請求項１０又は１１に記載のスプリング。
【請求項１３】
いくつかの対のスリーブが提供され、前記対のスリーブが前記中心棒体上を摺動し、前記中心棒体が前記対のスリーブの前記受入空間に受け入れられ、前記対のスリーブが前記中心棒体に沿って互いに平行に構成される請求項２乃至１２のいずれか１項に記載のスプリング。
【請求項１４】
横臥及び／又は着座手段のためのマットレスであって、
それ自体の中で移動可能な材料であって、フォーム又はラテックスで作られ且つ縦軸又は横軸に横切って構成される中空空間を有するマットレス本体を備え、
請求項２乃至１３のいずれか１項に記載のスプリングが少なくとも１つの中空空間に設けられるマットレス。
【国際調査報告】
2019535459.tif 000012
2019535459.tif 000013
2019535459.tif 000014
2019535459.tif 000015
2019535459.tif 000016
2019535459.tif 000017
2019535459.tif 000018
2019535459.tif 000019
2019535459.tif 000020
2019535459.tif 000021